(57)【要約】【課題】熱発生設備や空調設備などの設備が配置された空間における環境を、ユーザに疑似的に体感させる。【解決手段】設備が配置される空間に関する空間情報を取得する空間情報取得手段と、前記空間に配置される設備の形状情報と、当該空間に配置される当該設備の設備位置情報と、を含む設備情報を取得する設備情報取得手段と、前記設備情報を取得した設備が熱発生設備である場合には発生する熱に関する熱情報が含まれ、当該設備が空調設備である場合には当該空調設備の機能および設定の少なくとも一方に関する空調情報が含まれる当該設備の環境情報を取得する環境情報取得手段と、取得した前記空間情報を用いて、前記設備の前記形状情報と前記設備位置情報とを基に３次元の仮想空間に当該設備を３次元表示させるとともに、当該設備の前記環境情報を用いて情報を出力させる出力手段と、を有する設備環境出力システム。【選択図】図３
2020112975.tif 000002
【特許請求の範囲】
【請求項１】
設備が配置される空間に関する空間情報を取得する空間情報取得手段と、
前記空間に配置される設備の形状情報と、当該空間に配置される当該設備の設備位置情報と、を含む設備情報を取得する設備情報取得手段と、
前記設備情報を取得した設備が熱発生設備である場合には発生する熱に関する熱情報が含まれ、当該設備が空調設備である場合には当該空調設備の機能および設定の少なくとも一方に関する空調情報が含まれる当該設備の環境情報を取得する環境情報取得手段と、
取得した前記空間情報を用いて、前記設備の前記形状情報と前記設備位置情報とを基に３次元の仮想空間に当該設備を３次元表示させるとともに、当該設備の前記環境情報を用いて情報を出力させる出力手段と、
を有する設備環境出力システム。
【請求項２】
ユーザが把持可能な把持部材の位置に関する把持部材位置情報を取得する部材位置情報取得手段をさらに有し、
前記出力手段は、取得した前記把持部材位置情報を前記仮想空間に反映させて出力させることを特徴とする請求項１記載の設備環境出力システム。
【請求項３】
前記仮想空間は、前記空間における領域の大きさに対して第１の倍率の大きさにより表示され、
前記仮想空間に配置される前記設備は、前記空間に配置される当該設備の寸法に対して前記第１の倍率の寸法により表示され、
前記出力手段は、前記把持部材位置情報を前記仮想空間に反映させて予め定められた画像を表示している場合において、ユーザにより当該把持部材が動かされた場合に、表示している当該画像を、当該把持部材が動かされた距離に対して前記第１の倍率の距離動かすことを特徴とする請求項２記載の設備環境出力システム。
【請求項４】
ユーザの位置に関するユーザ位置情報を取得するユーザ位置情報取得手段と、
取得した前記環境情報に基づいて、前記空間における予め定められた位置の環境状況に関する状況情報を算出する算出手段と、
をさらに有し、
前記出力手段は、前記ユーザ位置情報に応じた前記空間の位置における前記状況情報を出力させることを特徴とする請求項１記載の設備環境出力システム。
【請求項５】
ユーザの位置に関するユーザ位置情報を取得するユーザ位置情報取得手段をさらに有し、
前記出力手段は、前記ユーザ位置情報取得手段が取得した前記ユーザ位置情報に応じて、前記ユーザの触覚、聴覚および嗅覚の少なくとも一の感覚に訴える情報を出力することを特徴とする請求項１記載の設備環境出力システム。
【請求項６】
前記環境情報取得手段は、前記熱発生設備および／または前記空調設備が前記空間に二台以上配置される場合に、配置される当該熱発生設備および／または当該空調設備の各々に係る前記環境情報を取得し、
前記出力手段は、前記仮想空間に３次元表示している前記熱発生設備および／または前記空調設備の各々に係る前記環境情報に基づいて算出された気温および／または温度に関する情報を出力することを特徴とする請求項１記載の設備環境出力システム。
【請求項７】
前記出力手段は、前記仮想空間に３次元表示している前記設備の前記環境情報を用いて情報を出力させるとともに、前記仮想空間に配置され３次元表示していない前記設備の前記環境情報を用いて情報を出力させることを特徴とする請求項１記載の設備環境出力システム。
【請求項８】
取得した前記環境情報に基づいて、前記空間において予め定められた時間の環境状況に関する状況情報を算出する算出手段をさらに有し、
前記出力手段は、前記空間における時間に応じた前記状況情報を出力させることを特徴とする請求項１記載の設備環境出力システム。
【請求項９】
コンピュータに、
設備が配置される空間に関する空間情報を取得する機能と、
前記空間に配置される設備の形状情報と、当該空間に配置される当該設備の設備位置情報と、を含む設備情報を取得する機能と、
前記設備情報を取得した設備が熱発生設備である場合には発生する熱に関する熱情報が含まれ、当該設備が空調設備である場合には当該空調設備の機能および設定の少なくとも一方に関する空調情報が含まれる当該設備の環境情報を取得する機能と、
取得した前記空間情報を用いて、前記設備の前記形状情報と前記設備位置情報とを基に３次元の仮想空間に当該設備を３次元表示させるとともに、当該設備の前記環境情報を用いて情報を出力させる機能と、
を実現させるための、プログラム。
【発明の詳細な説明】
【技術分野】
【０００１】
本発明は、設備環境出力システムおよびプログラムに関する。
【背景技術】
【０００２】
例えば特許文献１には、ネットワークを介してサーバに接続されたクライアントで３次元空間の設計を行うシステムであって、空間の間取りを設計するための設計ソフトウェアと、間取りの設計に利用する部品を検索・抽出できるように格納した部品データベースと、間取り設計された空間を３次元表示するための３次元表示ソフトウェアのすべてがサーバ側にあり、クライアントではネットワークを介してサーバ側のソフトウェアおよびデータベースを利用できる環境を有することが開示されている。
例えば特許文献２には、観察環境の変化や建築素材の向きの変化に応じた建築素材の質感を表現するために、仮想空間画像処理装置が備えるモニタに表示される仮想空間にて、住宅購入希望者は、表示された仮想空間を使用して、質感を確認したい素材を指定でき、仮想空間画像処理装置を用いた仮想空間内で、そのパーツの質感を確認したり、別の素材の質感を確認することが開示されている。
【先行技術文献】
【特許文献】
【０００３】
【特許文献１】特開２００２−１６３３０８号公報
【特許文献２】特開２０１７−３３３１７号公報
【発明の概要】
【発明が解決しようとする課題】
【０００４】
例えば、仮想空間に設備を配置して３次元表示させるシステムがある。
ここで、例えば、熱発生設備から発生する熱や空調設備から発生する風などのユーザが視認可能でない環境をユーザに疑似的に体感させることができれば、ユーザは、熱発生設備や空調設備などの設備が配置された空間における環境を想像しやすくなる。
【０００５】
本発明は、熱発生設備や空調設備などの設備が配置された空間における環境を、ユーザに疑似的に体感させることを目的とする。
【課題を解決するための手段】
【０００６】
請求項１に記載の発明は、設備が配置される空間に関する空間情報を取得する空間情報取得手段と、前記空間に配置される設備の形状情報と、当該空間に配置される当該設備の設備位置情報と、を含む設備情報を取得する設備情報取得手段と、前記設備情報を取得した設備が熱発生設備である場合には発生する熱に関する熱情報が含まれ、当該設備が空調設備である場合には当該空調設備の機能および設定の少なくとも一方に関する空調情報が含まれる当該設備の環境情報を取得する環境情報取得手段と、取得した前記空間情報を用いて、前記設備の前記形状情報と前記設備位置情報とを基に３次元の仮想空間に当該設備を３次元表示させるとともに、当該設備の前記環境情報を用いて情報を出力させる出力手段と、を有する設備環境出力システムである。
請求項２に記載の発明は、ユーザが把持可能な把持部材の位置に関する把持部材位置情報を取得する部材位置情報取得手段をさらに有し、前記出力手段は、取得した前記把持部材位置情報を前記仮想空間に反映させて出力させることを特徴とする請求項１記載の設備環境出力システムである。
請求項３に記載の発明は、前記仮想空間は、前記空間における領域の大きさに対して第１の倍率の大きさにより表示され、前記仮想空間に配置される前記設備は、前記空間に配置される当該設備の寸法に対して前記第１の倍率の寸法により表示され、前記出力手段は、前記把持部材位置情報を前記仮想空間に反映させて予め定められた画像を表示している場合において、ユーザにより当該把持部材が動かされた場合に、表示している当該画像を、当該把持部材が動かされた距離に対して前記第１の倍率の距離動かすことを特徴とする請求項２記載の設備環境出力システムである。
請求項４に記載の発明は、ユーザの位置に関するユーザ位置情報を取得するユーザ位置情報取得手段と、取得した前記環境情報に基づいて、前記空間における予め定められた位置の環境状況に関する状況情報を算出する算出手段と、をさらに有し、前記出力手段は、前記ユーザ位置情報に応じた前記空間の位置における前記状況情報を出力させることを特徴とする請求項１記載の設備環境出力システムである。
請求項５に記載の発明は、ユーザの位置に関するユーザ位置情報を取得するユーザ位置情報取得手段をさらに有し、前記出力手段は、前記ユーザ位置情報取得手段が取得した前記ユーザ位置情報に応じて、前記ユーザの触覚、聴覚および嗅覚の少なくとも一の感覚に訴える情報を出力することを特徴とする請求項１記載の設備環境出力システムである。
請求項６に記載の発明は、前記環境情報取得手段は、前記熱発生設備および／または前記空調設備が前記空間に二台以上配置される場合に、配置される当該熱発生設備および／または当該空調設備の各々に係る前記環境情報を取得し、前記出力手段は、前記仮想空間に３次元表示している前記熱発生設備および／または前記空調設備の各々に係る前記環境情報に基づいて算出された気温および／または温度に関する情報を出力することを特徴とする請求項１記載の設備環境出力システムである。
請求項７に記載の発明は、前記出力手段は、前記仮想空間に３次元表示している前記設備の前記環境情報を用いて情報を出力させるとともに、前記仮想空間に配置され３次元表示していない前記設備の前記環境情報を用いて情報を出力させることを特徴とする請求項１記載の設備環境出力システムである。
請求項８に記載の発明は、取得した前記環境情報に基づいて、前記空間において予め定められた時間の環境状況に関する状況情報を算出する算出手段をさらに有し、前記出力手段は、前記空間における時間に応じた前記状況情報を出力させることを特徴とする請求項１記載の設備環境出力システムである。
請求項９に記載の発明は、コンピュータに、設備が配置される空間に関する空間情報を取得する機能と、前記空間に配置される設備の形状情報と、当該空間に配置される当該設備の設備位置情報と、を含む設備情報を取得する機能と、前記設備情報を取得した設備が熱発生設備である場合には発生する熱に関する熱情報が含まれ、当該設備が空調設備である場合には当該空調設備の機能および設定の少なくとも一方に関する空調情報が含まれる当該設備の環境情報を取得する機能と、取得した前記空間情報を用いて、前記設備の前記形状情報と前記設備位置情報とを基に３次元の仮想空間に当該設備を３次元表示させるとともに、当該設備の前記環境情報を用いて情報を出力させる機能と、を実現させるための、プログラムである。
【発明の効果】
【０００７】
本発明によれば、熱発生設備や空調設備などの設備が配置された空間における環境を、ユーザに疑似的に体感させることができる。
【図面の簡単な説明】
【０００８】
【図１】設備環境出力システムの全体構成例を示す図である。
【図２】サーバおよび端末のハードウェア構成例を示す図である。
【図３】サーバの機能構成例を示した図である。
【図４】空間情報入力画面の一例を示した図である。
【図５】備え付け設備配置画面の一例を示した図である。
【図６】設備情報設定画面の一例を示した図である。
【図７】熱発生設備等配置画面の一例を示した図である。
【図８】（ａ）は、関係画面を示した図であり、（ｂ）は、３次元画面を示した図である。
【図９】（ａ）は、関係画面を示した図であり、（ｂ）は、３次元画面を示した図である。
【図１０】（ａ）は、空間を示した図であり、（ｂ）は、３次元画面を示した図である。
【図１１】（ａ）は、空間を示した図であり、（ｂ）は、３次元画面を示した図である。
【図１２】（ａ）は、関係画面を示した図であり、（ｂ）は、３次元画面を示した図である。
【図１３】空間を示した図である。
【図１４】（ａ）は、３次元画面を示した図であり、（ｂ）は、空間を示した図である。
【図１５】サーバによる処理の流れを示したフローチャートである。
【発明を実施するための形態】
【０００９】
以下、添付図面を参照して、本発明の実施形態について詳細に説明する。
＜設備環境出力システムの構成＞
図１は、本実施形態に係る設備環境出力システム１の全体構成例を示す図である。
本実施形態に係る設備環境出力システム１は、熱を発生する熱発生設備や空調設備が空間に配置された際の環境に関する情報を出力することで、熱発生設備や空調設備が空間に配置された際の環境を、ユーザに疑似的に体感させるシステムである。空間としては、例えば、住宅、厨房、工場等における空間が挙げられる。もっとも、上記の施設とは異なる空間であってもよい。
【００１０】
設備環境出力システム１は、サーバ１０と、端末３０と、ヘッドマウントディスプレイ４０と、把持部材５０と、ユーザ位置検知センサ６０と、熱発生装置７０と、匂い発生装置８０とを備える。サーバ１０と、端末３０、ヘッドマウントディスプレイ４０、把持部材５０、ユーザ位置検知センサ６０、熱発生装置７０、および匂い発生装置８０とは、ネットワークを介して接続されている。
【００１１】
サーバ１０は、設備が空間１００に配置されたと仮定した場合において、設備が空間１００に配置された際の環境をユーザに疑似的に体感させる。
サーバ１０は、設備が配置される空間に関する情報である空間情報、空間に配置される設備の形状等に関する情報である形状情報、および、空間に配置される設備の位置に関する情報である設備位置情報を取得する。そして、取得した空間情報を用いて、形状情報と設備位置情報とを基に仮想空間に設備を３次元表示させる。また、サーバ１０は、熱発生設備から発生する熱に関する情報である熱情報や、空調設備の機能および設定の少なくとも一方に関する情報である空調情報を取得する。そして、取得した熱情報や空調情報を用いて、熱発生設備や空調設備が空間に配置された際の環境に関する情報を仮想空間に３次元表示させる。熱情報と空調情報とをまとめて称する場合、以下では、環境情報と称する。また、単に「設備」と称する場合、この「設備」には、熱発生設備、空調設備、および後述する備え付け設備が含まれる。
また、サーバ１０は、取得した環境情報を用いて、熱発生設備や空調設備が配置された際の環境に関する音、熱、および匂いを出力させる。
【００１２】
なお、仮想空間とは、実際の空間としては存在しないが、ヘッドマウントディスプレイ４０に表示される仮想的な空間である。本実施形態では、ヘッドマウントディスプレイに、３次元の仮想空間が表示される。
【００１３】
サーバ１０は、例えば、コンピュータにより実現される。サーバ１０は、単一のコンピュータにより構成しても良いし、複数のコンピュータによる分散処理により実現しても良い。
【００１４】
端末３０は、情報を表示する表示部３１を備える。
端末３０は、例えば、コンピュータ、タブレット型情報端末、その他の情報処理装置により実現される。
【００１５】
ヘッドマウントディスプレイ４０は、ユーザの頭部に装着可能な表示装置である。ヘッドマウントディスプレイ４０は、表示部４１と、スピーカ４２と、方向検知センサ４３とを備える。
【００１６】
表示部４１は、情報を３次元表示する。
スピーカ４２は、音を出力する。
方向検知センサ４３は、ヘッドマウントディスプレイ４０を装着したユーザが向く方向を検知する。方向検知センサ４３としては、例えば、ジャイロセンサや加速度センサ等を用いることができる。ヘッドマウントディスプレイ４０は、ユーザの方向が方向検知センサ４３に検知されると、検知されたユーザの方向に関する情報である方向情報を、サーバ１０に送信する。
【００１７】
把持部材５０は、ユーザが把持可能に設けられている。把持部材５０には、空間１００における把持部材５０の位置や向きを検知する把持部材検知センサ５１が設けられている。把持部材検知センサ５１としては、例えば、ジャイロセンサや加速度センサ等を用いることができる。把持部材５０は、把持部材５０の位置や向きが把持部材検知センサ５１に検知されると、検知された把持部材５０の位置や向きに関する情報である把持部材位置情報を、サーバ１０に送信する。
【００１８】
ユーザ位置検知センサ６０は、空間１００におけるユーザの位置を検知する。本実施形態では、二つのユーザ位置検知センサ６０が、空間１００の天井側の対角上に設けられている。ユーザ位置検知センサ６０としては、例えば、赤外線センサ等を用いることができる。ユーザ位置検知センサ６０は、ユーザの位置を検知すると、検知したユーザの位置に関する情報であるユーザ位置情報を、サーバ１０に送信する。
【００１９】
熱発生装置７０は、空間１００内に熱を発生させる。熱発生装置７０としては、例えば、ヒーター等を用いることができる。
匂い発生装置８０は、空間１００内に匂いを発生させる。匂い発生装置８０としては、例えば、匂いを発生させる既存の器具を用いることができる。
【００２０】
サーバ１０と、端末３０、ヘッドマウントディスプレイ４０、把持部材５０、ユーザ位置検知センサ６０、熱発生装置７０、および匂い発生装置８０との接続に用いられるネットワークは、データの送受信が可能であれば、その種類は特に限定されず、例えばインターネット、ＬＡＮ（Local Area Network）、ＷＡＮ（Wide Area Network）等として良い。データ通信に用いられる通信回線は、有線であっても無線であっても良い。また、複数のネットワークや通信回線を介して各装置を接続する構成としても良い。
【００２１】
＜ハードウェア構成例＞
図２は、サーバ１０および端末３０のハードウェア構成例を示す図である。
図２に示すように、サーバ１０および端末３０は、ＣＰＵ(Central Processing Unit)３００ａと、メモリ３００ｃとを備える。また、各装置は、外部デバイスとして、磁気ディスク装置(ＨＤＤ：Hard Disk Drive)３００ｇ、ネットワークインターフェイス３００ｆ、表示機構３００ｄ、音声機構３００ｈ、キーボードやマウス等の入力デバイス３００ｉ等を備える。
【００２２】
メモリ３００ｃおよび表示機構３００ｄは、システムコントローラ３００ｂを介してＣＰＵ３００ａに接続されている。また、ネットワークインターフェイス３００ｆ、磁気ディスク装置３００ｇ、音声機構３００ｈおよび入力デバイス３００ｉは、Ｉ／Ｏコントローラ３００ｅを介してシステムコントローラ３００ｂと接続されている。各構成要素は、システムバスや入出力バスなどの各種のバスによって接続される。
【００２３】
磁気ディスク装置３００ｇには、各機能を実現するためのプログラムが格納されている。そして、このプログラムがメモリ３００ｃにロードされ、このプログラムに基づく処理がＣＰＵ３００ａにより実行されることで、各種の機能が実現される。
【００２４】
＜サーバの機能構成＞
次に、サーバ１０の機能構成について説明する。
図３は、サーバ１０の機能構成例を示した図である。
サーバ１０は、送受信部１１と、記憶部１２と、空間情報管理部１３と、設備情報管理部１４と、ユーザ位置情報管理部１５と、把持部材位置情報管理部１６と、算出部１７と、画像作成部１８と、表示制御部１９と、音制御部２０と、熱制御部２１と、匂い制御部２２とを備える。
【００２５】
送受信部１１は、ネットワークを介して端末３０、ヘッドマウントディスプレイ４０、把持部材５０、ユーザ位置検知センサ６０、熱発生装置７０、および匂い発生装置８０と接続するためのネットワーク・インターフェイスである。これにより、サーバ１０は、端末３０、ヘッドマウントディスプレイ４０、把持部材５０、ユーザ位置検知センサ６０、熱発生装置７０、および匂い発生装置８０とデータ交換を行う。
【００２６】
記憶部１２は、形状情報、熱情報、および空調情報を記憶する。
記憶部１２に記憶される形状情報としては、例えば、設備の形状、設備の寸法等に関する情報が挙げられる。
記憶部１２に記憶される熱情報としては、例えば、熱発生設備の稼働状態において熱発生設備から発生する音に関する情報である音情報、熱発生設備を用いることにより発生する匂いに関する情報である匂い情報、熱発生設備の稼働状態における発熱量等に関する情報が挙げられる。また、熱発生設備の出力強度が複数段階ある場合、「熱発生設備の稼働状態」には、各段階の稼働状態が含まれる。
記憶部１２に記憶される空調情報としては、例えば、空調設備の稼働状態における機能、空調設備の設定等に関する情報が挙げられる。なお、「空調設備の稼働状態」には、空調設備の設定ごとの稼働状態が含まれる。
【００２７】
熱情報および空調情報（環境情報）、および形状情報は、例えば、ユーザが、環境情報、および形状情報を端末３０に入力することで生成される。生成された各情報は、送受信部１１を介して記憶部１２に送信される。記憶部１２は、取得した各情報を、設備を識別する識別情報と関連付けて記憶する。
識別情報としては、例えば、設備の型番や、ユーザが設備ごとに設定した値等に関する情報を用いることができる。識別情報は、例えば、ユーザが端末３０に識別情報を入力することで生成される。生成された識別情報は、送受信部１１を介して記憶部１２に送信される。
【００２８】
空間情報取得手段の一例としての空間情報管理部１３は、空間情報を管理する。
空間情報管理部１３に管理される空間情報としては、例えば、空間における領域の大きさ等に関する情報が挙げられる。また、空間情報には、空間に備え付けられる備え付け設備に関する情報である備え付け設備情報が含まれる。また、空間情報には、設備が配置される空間の外の気温である外気温度に関する情報が含まれる。また、空間情報には、設備の断熱性に関する情報が含まれる。
【００２９】
備え付け設備としては、例えば、照明、窓、棚、カウンターやテーブルなどの台、出入口等が挙げられる。
備え付け設備情報としては、例えば、照明の明るさ、窓の大きさ、棚や台の寸法、出入口の広さ等の情報が挙げられる。また、備え付け設備情報には、空間における備え付け設備の位置や向きに関する情報が含まれる。
空間情報は、例えば、ユーザが端末３０に空間情報を入力することで生成される。生成された空間情報は、送受信部１１を介して空間情報管理部１３に取得される。
【００３０】
設備情報取得手段の一例としての設備情報管理部１４は、仮想空間に表示させる設備に係る環境情報や形状情報を管理する。
設備情報管理部１４は、例えば、ユーザの端末３０に対する操作に基づいて設定された環境情報や形状情報を、送受信部１１を介して端末３０から取得する。
【００３１】
また、設備情報管理部１４は、熱発生設備や空調設備の稼働時間の設定に関する情報である時間情報を管理する。
また、設備情報管理部１４は、空間における熱発生設備や空調設備の位置および向きに関する情報である設備位置情報を管理する。
時間情報や設備位置情報は、例えば、ユーザが端末３０に時間情報や設備位置情報を入力することで生成される。生成された時間情報や設備位置情報は、送受信部１１を介して設備情報管理部１４に取得される。
なお、以下では、形状情報、環境情報、時間情報、および設備位置情報をまとめて称する場合には、設備情報と称する。また、設備情報管理部１４は、環境情報を取得する環境情報取得手段としても捉えられる。
【００３２】
ユーザ位置情報取得手段の一例としてのユーザ位置情報管理部１５は、ユーザ位置情報を管理する。ユーザ位置情報管理部１５は、送受信部１１を介してユーザ位置検知センサ６０からユーザ位置情報を取得する。また、ユーザ位置情報管理部１５は、送受信部１１を介してヘッドマウントディスプレイ４０から方向情報を取得する。
【００３３】
部材位置情報取得手段の一例としての把持部材位置情報管理部１６は、把持部材位置情報を管理する。把持部材位置情報管理部１６は、送受信部１１を介して、把持部材５０から把持部材位置情報を取得する。
【００３４】
算出部１７は、熱発生設備や空調設備が空間に配置された際の環境状況に関する情報である状況情報を算出する。状況情報としては、例えば、空間の気温、設備の温度、熱発生設備から発生する熱の温度や熱が伝わる方向、空調設備から発生する風の向き、空調設備から発生する空気の温度等に関する情報が挙げられる。
【００３５】
算出部１７は、空間情報管理部１３に管理されている空間情報、設備情報管理部１４に管理されている設備情報、ユーザ位置情報管理部１５に管理されているユーザ位置情報、および、把持部材位置情報管理部１６に管理されている把持部材位置情報に基づいて、状況情報を算出する。
【００３６】
算出部１７が状況情報を算出する手法の一例を説明する。
算出部１７は、熱発生設備の稼働状態における発熱量に関する情報に基づいて、空間における熱流束分布や温度分布等のパラメータを算出する。また、算出部１７は、空調設備の稼働状態における機能に関する情報に基づいて、空間における温度分布や気流分布等のパラメータを算出する。これらのパラメータの算出は、空間に配置される設備の形状、寸法、位置、向き、断熱性、および外気温度に関する情報等を考慮して行われる。そして、算出部１７は、算出したパラメータを用いて、状況情報を算出する。熱発生設備および／または空調設備が空間に二台以上配置される場合、算出部１７は、配置される熱発生設備および／または空調設備の各々に係る設備情報を用いて、状況情報を算出する。
【００３７】
また、算出部１７は、時間情報に基づいて、予め定められた時間（例えば１秒）ごとの状況情報を算出する。
算出部１７に算出された状況情報は、記憶部１２に記憶される。
【００３８】
画像作成部１８は、ヘッドマウントディスプレイ４０に表示させる画像を作成する。画像作成部１８は、空間情報管理部１３に管理されている空間情報および設備情報管理部１４に管理されている形状情報に基づいて、設備が配置された仮想空間の画像を作成する。この画像は、空間１００においてユーザが取り得る位置および向きに応じて、それぞれ作成される。
画像作成部１８は、空間に配置される設備の寸法と同じ倍率の寸法となるように設備の画像を作成する。また、画像作成部１８は、設備が配置された空間における領域の大きさと同じ倍率の大きさとなるように仮想空間の画像を作成する。
【００３９】
また、画像作成部１８は、記憶部１２に記憶されている状況情報に基づいて、空間の気温に関する画像、設備の温度に関する画像、熱発生設備から発生する熱に関する画像、空調設備から発生する風に関する画像等を作成する。これらの画像は、空間においてユーザや把持部材５０が取り得る位置および向きに応じて、それぞれ作成される。
【００４０】
また、画像作成部１８は、把持部材５０の画像を作成する。画像作成部１８は、把持部材５０の寸法と同じ倍率の寸法となるように把持部材５０の画像を作成する。把持部材５０の画像は、空間において把持部材５０が取り得る位置および向きに応じて、それぞれ作成される。
画像作成部１８により作成された画像は、記憶部１２に記憶される。
【００４１】
表示制御部１９は、画像作成部１８により作成された画像を、ヘッドマウントディスプレイ４０に表示させる。表示制御部１９は、ユーザ位置情報管理部１５に管理されているユーザ位置情報および方向情報から、空間１００におけるユーザの位置および向きを特定する。また、把持部材位置情報管理部１６に管理されている把持部材位置情報から、空間１００における把持部材５０の位置および向きを特定する。そして、特定したユーザの位置および向きに対応付けられて記憶部１２に記憶されている画像を、ヘッドマウントディスプレイ４０の表示部４１に表示させる。また、特定した把持部材５０の位置および向きに対応付けられて記憶部１２に記憶されている画像を、ヘッドマウントディスプレイ４０の表示部４１に表示させる。
【００４２】
音制御部２０は、ヘッドマウントディスプレイ４０のスピーカ４２における音の出力制御を行う。音制御部２０は、熱発生設備について予め定められた音出力条件が満たされた場合に、対象の熱発生設備に対応付けられて記憶部１２に記憶されている音情報を、ヘッドマウントディスプレイ４０のスピーカ４２に出力させる。なお、音出力条件については、後述する。
【００４３】
熱制御部２１は、熱発生装置７０における熱の出力制御を行う。熱制御部２１は、熱発生設備について予め定められた熱発生条件が満たされた場合に、熱発生装置７０から熱を発生させる。なお、熱発生条件については、後述する。
【００４４】
匂い制御部２２は、匂い発生装置８０における匂いの出力制御を行う。匂い制御部２２は、熱発生設備について予め定められた匂い発生条件が満たされた場合に、対象の熱発生設備に対応付けられて記憶部１２に記憶されている匂い情報に係る匂いを、匂い発生装置８０から発生させる。なお、匂い発生条件については、後述する。
また、表示制御部１９、音制御部２０、熱制御部２１、および匂い制御部２２は、それぞれ、環境情報を用いて情報を出力させる出力手段として捉えられる。
【００４５】
＜空間情報の入力例＞
続いて、空間情報の入力例について説明する。
図４は、空間情報入力画面１０１の一例を示した図である。
図４に示す空間情報入力画面１０１は、ユーザが空間情報を入力するための画面である。空間情報入力画面１０１は、端末３０の表示部３１に表示される。
空間情報入力画面１０１には、空間領域入力部１０２と、照明情報入力部１０３と、窓情報入力部１０４と、棚情報入力部１０５と、台情報入力部１０６と、出入口情報入力部１０７と、断熱性情報入力部１０９と、外気温度情報入力部１１２とが表示されている。
【００４６】
空間領域入力部１０２は、空間における領域の大きさを入力可能に設けられている。図示の例では、空間領域入力部１０２において、空間の「幅」、空間の「奥行き」、および空間の「高さ」が入力可能になっている。
なお、例えば、ユーザがＣＡＤ図を編集することで空間における領域の大きさを設定可能であってもよい。
【００４７】
照明情報入力部１０３は、照明の「明るさ」を入力可能に設けられている。また、「＋」ボタンを選択すると、照明情報入力部１０３が追加で表示される。
窓情報入力部１０４は、窓の大きさを入力可能に設けられている。図示の例では、窓情報入力部１０４において、窓の「縦」の長さ、および窓の「横」の長さが入力可能になっている。また、「＋」ボタンを選択すると、窓情報入力部１０４が追加で表示される。
【００４８】
棚情報入力部１０５は、棚の寸法を入力可能に設けられている。図示の例では、棚情報入力部１０５において、棚の「縦」の長さ、棚の「横」の長さ、および棚の「高さ」が入力可能になっている。また、「＋」ボタンを選択すると、棚情報入力部１０５が追加で表示される。
台情報入力部１０６は、台の寸法を入力可能に設けられている。図示の例では、台情報入力部１０６において、台の「縦」の長さ、台の「横」の長さ、および台の「高さ」が入力可能になっている。また、「＋」ボタンを選択すると、台情報入力部１０６が追加で表示される。
【００４９】
出入口情報入力部１０７は、出入口の広さを入力可能に設けられている。図示の例では、出入口情報入力部１０７において、出入口の「幅」の長さ、および出入口の「高さ」が入力可能になっている。また、「＋」ボタンを選択すると、出入口情報入力部１０７が追加で表示される。
【００５０】
断熱性情報入力部１０９は、壁の断熱性を入力可能に設けられている。図示の例では、断熱性情報入力部１０９において、壁の「厚さ」、および壁の「熱伝導率」が入力可能になっている。
【００５１】
外気温度情報入力部１１２は、外気温度を入力可能に設けられている。図示の例では、外気温度情報入力部１１２において「外気温度」が入力可能になっている。
なお、予め定められた時間帯毎の外気温度が入力可能であってもよい。予め定められた時間帯毎としては、例えば、１時間毎等が挙げられる。また、例えば、特定の時間帯における外気温度が入力可能であってもよい。特定の時間帯としては、例えば、「１９：００〜２１：００」等が挙げられる。
【００５２】
ユーザがＯＫボタン１０８を選択すると、端末３０の表示部３１には、図５に示すように、備え付け設備配置画面１１０が表示される。
図５に示す備え付け設備配置画面１１０は、空間における備え付け設備の配置を設定するための画面である。設備配置画面１１０には、空間情報入力画面１０１にて入力された空間情報に係る備え付け設備の画像が表示される。
【００５３】
備え付け設備配置画面１１０では、例えば、ユーザが、備え付け設備配置画面１１０に表示されている備え付け設備の画像に対して、マウス（不図示）などによるドラッグ移動操作を行うことで、備え付け設備の位置および向きを設定可能になっている。
ユーザがＯＫボタン１１１を選択すると、空間情報入力画面１０１および備え付け設備配置画面１１０にて設定された空間情報が、送受信部１１を介して空間情報管理部１３に送信される。
なお、空間に複数の壁が配置されている場合に、壁毎に断熱性に関する情報が入力可能に設けられてもよい。例えば、ユーザが、備え付け設備配置画面１１０における壁を選択し、選択した壁の厚さや熱伝導率を入力可能であってもよい。
【００５４】
＜設備情報の設定例＞
続いて、設備情報の設定例について説明する。
図６は、設備情報設定画面１２０の一例を示した図である。
図６に示す設備情報設定画面１２０は、設備情報を設定するための画面である。設備情報設定画面１２０は、端末３０の表示部３１に表示される。
設備情報設定画面１２０には、熱発生設備設定部１２１と、空調設備設定部１２２とが表示されている。
【００５５】
熱発生設備設定部１２１は、熱発生設備の商品の「型番」を入力可能に設けられている。ユーザが「型番」を入力すると、入力された「型番」に対応付けられて記憶部１２に記憶されている熱情報および形状情報が表示される。具体的には、熱発生設備の「縦」の長さ、熱発生設備の「横」の長さ、熱発生設備の「高さ」、および熱発生設備の「最大発熱量」が表示される。
また、ユーザは、熱発生設備の「稼働時間」、および熱発生設備を稼働させる場合における「出力強度」を入力可能になっている。ここで、「コンロ」の「稼働時間」として、「１６：００〜１８：５９」が入力されている。また、「＋」ボタンを選択すると、熱発生設備設定部１２１が追加で表示される。
【００５６】
空調設備設定部１２２は、空調設備の商品の「型番」を入力可能に設けられている。ユーザが「型番」を入力すると、入力された「型番」に対応付けられて記憶部１２に記憶されている空調情報および形状情報が表示される。具体的には、空調設備の「縦」の長さ、空調設備の「横」の長さ、空調設備の「高さ」、および空調設備の「能力」、が表示される。
また、ユーザは、「稼働時間」、および空調設備を稼働させる場合における「出力強度」を入力可能になっている。図示の例では、「出力強度」として、空調設備の「設定温度」を入力可能になっている。また、「＋」ボタンを選択すると、空調設備設定部１２２が追加で表示される。
【００５７】
ユーザがＯＫボタン１２３を選択すると、端末３０の表示部３１には、図７に示すように、熱発生設備等配置画面１２５が表示される。
図７に示す熱発生設備等配置画面１２５は、空間における熱発生設備および空調設備の配置を設定するための画面である。熱発生設備等配置画面１２５には、設備情報設定画面１２０にて入力された設備情報に係る熱発生設備の画像および空調設備の画像が表示される。
【００５８】
熱発生設備等配置画面１２５では、例えば、ユーザが、熱発生設備等配置画面１２５に表示されている熱発生設備の画像や空調設備の画像に対して、マウスなどによるドラッグ移動操作を行うことで、熱発生設備や空調設備の位置および向きを設定可能になっている。また、空調設備から発生する風の向きも設定可能になっている。
ユーザがＯＫボタン１２６を選択すると、設備情報設定画面１２０および熱発生設備等配置画面１２５にて設定された設備情報が、送受信部１１を介して設備情報管理部１４に送信される。
なお、備え付け設備配置画面１１０において配置が設定された設備、および熱発生設備等配置画面１２５において配置が設定された設備を、以下では、設定設備と称する。
【００５９】
＜ユーザの位置と表示画像の関係＞
続いて、空間１００におけるユーザの位置と、ヘッドマウントディスプレイ４０における表示画像との関係について説明する。
本実施形態の設備環境出力システム１は、図４乃至図７に示した画面にて設定された条件により、設定設備が空間１００（図１参照）に配置されたと仮定し、空間１００におけるユーザの位置および向きに応じて、ヘッドマウントディスプレイ４０に表示させる画像を切り替える。これにより、設定設備が空間に配置された際の環境を、ユーザに疑似的に体感させる。
【００６０】
図８（ａ）は、関係画面１３０を示した図である。関係画面１３０は、仮想空間に配置された設定設備と、仮想空間におけるユーザとの位置関係を示した図である。関係画面１３０は、端末３０の表示部３１に表示される。
また、図８（ｂ）は、ヘッドマウントディスプレイ４０の表示部４１に表示される３次元画面２００を示した図である。
【００６１】
図８（ａ）に示した関係画面１３０には、設定設備が配置された仮想空間が平面図として表示されている。
また、関係画面１３０には、ユーザを示したユーザ画像１３１が表示されている。ユーザ画像１３１は、関係画面１３０のうち、空間１００におけるユーザの位置に応じた領域に表示される。また、ユーザ画像１３１から延びている矢印は、ユーザの向きを示している。
【００６２】
図８（ｂ）に示した３次元画面２００には、設定設備が配置された仮想空間が３次元表示されている。３次元画面２００には、空間１００におけるユーザの位置および向きに応じた画像が表示されている。具体的には、設定設備が空間１００に配置されたと仮定した場合において、ユーザの視線に映る設定設備の画像が表示される。言い換えると、３次元画面２００には、空間１００におけるユーザの位置および向きに基づいて仮想空間にユーザを反映した場合において、仮想空間におけるユーザの目に映る設定設備の画像が表示される。
図示の例では、３次元画面２００には、第１エアコン画像２０１、台画像２０２、棚画像２０３、ゆで麺機画像２０４、天井画像２２０、床画像２２１、および壁画像２２２が表示されている。
【００６３】
また、３次元画面２００には、第１エアコン風画像２３０が表示されている。この第１エアコン風画像２３０は、第１エアコンから発生する風を示した画像である。第１エアコン風画像２３０は、予め定められた時間（例えば２秒）ごとに、第１エアコン画像２０１の付近にて表示される。表示された第１エアコン風画像２３０は、この第１エアコン風画像２３０における矢印が指す方向に沿って台画像２０２に向かって移動する。そして、第１エアコン風画像２３０は、台画像２０２に接触すると、移動方向を変えて、図中右側に向かって移動する。
第１エアコン風画像２３０が移動する向きは、第１エアコンから発生する風の向きとして算出部１７に算出された向きである。
【００６４】
また、３次元画面２００には、把持部材画像２１０と、気温画像２１１と、指標画像２１２が表示されている。
把持部材画像２１０は、把持部材５０を示した画像である。把持部材画像２１０は、３次元画面２００のうち、空間１００における把持部材５０の位置に応じた領域に表示される。このように、本実施形態では、把持部材位置情報を仮想空間に反映させて出力させる。
【００６５】
気温画像２１１には、「１７．３℃」という気温が表示されている。この気温は、設定設備が空間１００に配置されたと仮定した場合において、空間１００内の把持部材５０の位置における気温として算出部１７に算出された値である。
指標画像２１２は、空間の気温や設備の温度の指標を示した画像である。指標画像２１２には、指標部２１３が表示されている。指標部２１３には、気温や温度が２０℃以下であることを示すマーク、気温や温度が２０℃よりも高く４０℃未満であることを示すマーク、および、気温や温度が４０℃以上であることを示すマークが描かれている。
以下では、気温や温度が２０℃以下であることを示すマーク、気温や温度が２０℃よりも高く４０℃未満であることを示すマーク、気温や温度が４０℃以上であることを示すマークを、それぞれ、「２０℃以下マーク」、「２０℃超４０℃未満マーク」、「４０℃以上マーク」と称する。
【００６６】
ここで、例えば、第１エアコン風画像２３０には、２０℃以下マークが描かれている。また、床画像２２１のうちの、台画像２０２や棚画像２０３が設けられている領域にも、２０℃以下マークが描かれている。
また、床画像２２１のうちの、ゆで麺機画像２０４が設けられている領域には、２０℃超４０℃未満マークが描かれている。また、天井画像２２０には、２０℃超４０℃未満マークが描かれている。
また、ゆで麺機画像２０４には、４０℃以上マークが描かれている。
【００６７】
第１エアコン風画像２３０に示されている温度は、設定設備が空間１００に配置されたと仮定した場合において、空間１００内の第１エアコンから発生した空気の温度として算出部１７に算出された値である。
また、設定設備の画像に示されている温度は、設定設備が空間１００に配置されたと仮定した場合におけるこの設定設備の温度として算出部１７に算出された値である。
【００６８】
また、３次元画面２００には、時刻を示した時刻画像２４０が表示されている。時刻画像２４０には、「２０１８年９月１０日１８時５０分」という時刻が表示されている。時刻画像２４０に表示されている時刻は、空間１００における仮定の時刻として設定された時刻である。設定設備の稼働の有無は、この仮定の時刻に基づいて管理される。この仮定の時刻は、例えば、ユーザが端末３０に時刻を入力することで設定される。
【００６９】
ここで、ユーザが空間１００内を移動すると、図９（ａ）に示すように、関係画面１３０におけるユーザ画像１３１の表示位置も移動する。また、図９（ｂ）に示すように、３次元画面２００の表示内容も変わる。
図９（ｂ）に示す３次元画面２００には、ユーザの移動前には表示されていなかったフライヤー画像２０５が表示されている。一方、ユーザの移動前に表示されていた第１エアコン画像２０１は表示されていない。
【００７０】
また、気温画像２１１には、「１９．７℃」という気温が表示されており、ユーザの移動前に比べて、気温画像２１１に表示されている気温が高くなっている。このように、本実施形態では、ユーザ位置情報に応じた空間の位置における状況情報を出力させる。
また、時刻画像２４０には、「２０１８年９月１０日１８時５５分」という時刻が表示されている。
【００７１】
ここで、図１０（ａ）に示すように、ユーザが空間１００において把持部材５０を図中右側に動かすと、図１０（ｂ）に示すように、３次元画面２００に表示されている把持部材画像２１０も移動する。この場合に、３次元画面２００において把持部材画像２１０が移動した距離は、空間１００において把持部材５０が移動した距離と等しい。また、この場合において、把持部材画像２１０は、台画像２０２に接触していない。
このように、本実施形態では、把持部材５０が移動した距離と、把持部材画像２１０が移動した距離との比が、設備が配置される空間における領域の大きさと、仮想空間における領域の大きさとの比になるようにしている。また、把持部材５０が移動した距離と、把持部材画像２１０が移動した距離との比が、空間に配置される設備の寸法と、仮想空間に配置される設備の寸法との比になるようにしている。この場合、ユーザは、仮想空間における把持部材画像２１０の動きを、空間における把持部材５０の動きと同じように感じることができる。
【００７２】
続いて、図１１（ａ）に示すように、ユーザが空間１００において把持部材５０を図中右側にさらに動かすと、図１１（ｂ）に示すように、３次元画面２００に表示されている把持部材画像２１０が台画像２０２に接触し、把持部材画像２１０の移動が途中で制限される。そして、３次元画面２００に通知画面２５０が表示される。通知画面２５０は、把持部材画像２１０が仮想空間に配置されている設備に接触していることを通知するための画面である。通知画面２５０には、把持部材画像２１０が接触している設備の名称が表示される。図示の例では、通知画面２５０には、「※台に当たっているため移動できません。」というメッセージが表示される。
【００７３】
続いて、ユーザが空間１００内をさらに移動すると、図１２（ａ）に示すように、関係画面１３０において、ユーザ画像１３１は、フライヤーおよびコンロと、台との間に表示されるようになる。このとき、図１２（ｂ）に示すように、３次元画面２００には、コンロ画像２０６が表示される。コンロ画像２０６には、フライパンの画像が表示されている。
【００７４】
また、３次元画面２００には、フライヤー熱画像２３１が表示されている。フライヤー熱画像２３１は、フライヤーから発生する熱を示した画像である。フライヤー熱画像２３１は、予め定められた時間（例えば２秒）ごとに、フライヤー画像２０５の付近にて表示される。表示されたフライヤー熱画像２３１は、このフライヤー熱画像２３１における矢印が指す方向に沿って図中上側へ移動する。また、一部のフライヤー熱画像２３１は、図中右上方向へ移動する。フライヤー熱画像２３１には、４０℃以上マークが描かれている。
【００７５】
また、３次元画面２００には、コンロ熱画像２３２が表示されている。コンロ熱画像２３２は、コンロから発生する熱を示した画像である。コンロ熱画像２３２は、予め定められた時間（例えば２秒）ごとに、コンロ画像２０６の付近にて表示される。表示されたコンロ熱画像２３２は、このコンロ熱画像２３２における矢印が指す方向に沿って図中上側へ移動する。コンロ熱画像２３２には、４０℃以上マークが描かれている。
【００７６】
また、３次元画面２００には、第２エアコン風画像２３３が表示されている。第２エアコン風画像２３３は、第２エアコンから発生する風を示した画像である。第２エアコン風画像２３３は、予め定められた時間（例えば２秒）ごとに、３次元画面２００における図中右側端部にて表示される。表示された第２エアコン風画像２３３は、この第２エアコン風画像２３３における矢印が指す方向に沿って図中左側へ移動する。第２エアコン風画像２３３には、２０℃以下マークが描かれている。
【００７７】
なお、設定設備が空間１００に配置されたと仮定した場合において、空間１００に配置された第２エアコンは、ユーザの視界に入っていない。そのため、３次元画面２００には、第２エアコンの画像は表示されていない。このように、本実施形態では、仮想空間に配置され３次元表示されていない設備の環境情報を用いて情報を出力させる。
【００７８】
コンロ画像２０６には、４０℃以上マークが描かれている。また、壁画像２２２には、４０℃以上マークが描かれている。
また、気温画像２１１には、「４１．０℃」という気温が表示されており、ユーザの移動前に比べて、気温画像２１１に表示されている気温が高くなっている。また、時刻画像２４０には、「２０１８年９月１０日１８時５９分」という時刻が表示されている。
【００７９】
また、このとき、空間１００におけるユーザの位置に基づいて仮想空間に反映されるユーザは、コンロ画像２０６から、音出力条件として定められた範囲（例えば、半径３ｍ以内）に位置する。また、仮想空間に反映されるユーザは、匂い発生条件として定められた範囲（例えば、半径２ｍ以内）に位置する。さらに、仮想空間に反映されるユーザは、熱発生条件として定められた範囲（例えば、半径１ｍ以内）に位置する。
【００８０】
この場合、図１３に示すように、スピーカ４２から、食べ物が焼かれる場合に発生する音が出力される。また、熱発生装置７０から、熱が発生する。この場合において、熱制御部２１は、ユーザの位置における気温に応じた熱が発生するように熱発生装置７０を制御してもよい。ユーザの位置における気温とは、仮想空間上でユーザが位置する場所における気温として算出部１７に算出された値である。また、匂い発生装置８０から、コンロにより食べ物が焼かれる場合に食べ物から発生する匂いが発生する。このように、本実施形態では、ユーザ位置情報に応じて、ユーザの触覚、聴覚、嗅覚等に訴える情報を出力する。
【００８１】
なお、コンロの稼働中において、仮想空間に反映されるユーザがコンロ画像２０６から音出力条件として定められた範囲に位置することは、音出力条件を満たすことの一例として捉えられる。また、コンロの稼働中において、仮想空間に反映されるユーザがコンロ画像２０６から匂い発生条件として定められた範囲に位置することは、匂い発生条件を満たすことの一例として捉えられる。さらに、コンロの稼働中において、仮想空間に反映されるユーザがコンロ画像２０６から熱発生条件として定められた範囲に位置することは、熱発生条件を満たすことの一例として捉えられる。
【００８２】
続いて、ユーザが空間１００内を移動しないまま時間が経過すると、図１４（ａ）に示すように、時刻画像２４０には、「２０１８年９月１０日１９時０３分」という時刻が表示される。ここで、コンロの稼働時間である１６時００分〜１８時５９分（図６参照）を過ぎている。このとき、コンロ画像２０６において、フライパンの画像が非表示になっている。一方、３次元画面２００には、コンロ熱画像２３２が表示されている。このコンロ熱画像２３２は、コンロから発生する余熱を示した画像である。このとき表示されているコンロ熱画像２３２の数は、空間１００においてコンロが稼働していると仮定されていたときに表示されているコンロ熱画像２３２の数よりも少ない。このように、本実施形態では、空間における時間に応じた状況情報を出力させる。
【００８３】
また、このとき、気温画像２１１には、「３５．７℃」という気温が表示されている。また、コンロ画像２０６には、２０℃超４０℃以下マークが描かれている。また、壁画像２２２のうちコンロ画像２０６の上側の領域には、２０℃超４０℃以下マークが描かれている。一方、壁画像２２２のうちフライヤー熱画像２３１の上側の領域には、４０℃以上マークが描かれている。
【００８４】
また、このとき、図１４（ｂ）に示すように、スピーカ４２からは、食べ物が焼かれる場合に発生する音が出力されていない。
また、このとき、熱発生装置７０からは熱が発生していない。
また、このとき、匂い発生装置８０からは、食べ物が焼かれる場合に食べ物から発生する匂いが発生していない。
【００８５】
＜サーバ１０の処理例＞
続いて、サーバ１０による処理の流れについて説明する。図１５は、サーバ１０による処理の流れを示したフローチャートである。
サーバ１０の空間情報管理部１３は、送受信部１１を介して、端末３０から空間情報を取得する（Ｓ１０１）。
サーバ１０の設備情報管理部１４は、送受信部１１を介して、端末３０から、設備情報（Ｓ１０２）。
【００８６】
サーバ１０の算出部１７は、空間情報および設備情報に基づいて、状況情報を算出する（Ｓ１０３）。
サーバ１０の画像作成部１８は、空間情報、形状情報、設備情報、および状況情報に基づいて、ヘッドマウントディスプレイ４０に表示させる画像を作成する（Ｓ１０４）
表示制御部１９は、画像作成部１８に作成された画像を、ヘッドマウントディスプレイ４０に表示させる（Ｓ１０５）。
【００８７】
なお、本実施形態では、空間１００における把持部材５０の位置に応じて３次元画面２００に把持部材画像２１０が表示されることを説明したが、これに限定されない。
例えば、包丁の画像など、設備が配置された空間において用いられる用具の画像が表示されてもよい。すなわち、空間１００における把持部材５０の位置に応じて３次元画面２００に表示される画像は、予め定められた画像であればよい。
【００８８】
また、例えば、食べ物ごとに匂い情報が記憶部１２に記憶されてもよい。さらに、設備情報設定画面１２０（図６参照）の熱発生設備設定部１２１において、熱発生設備にて用いられる食べ物が設定可能であってもよい。そして、匂い発生条件が満たされた場合に、設定された食べ物に対応付けられて記憶部１２に記憶されている匂い情報に係る匂いを、匂い発生装置８０から発生させてもよい。この場合において、例えば、食べ物の匂いごとに対応する匂い発生装置８０がそれぞれ空間１００に配置されてもよい。
【００８９】
また、例えば、空間１００に、風を発生させる風発生装置が設けられてもよい。風発生装置としては、例えば、温冷風機等を用いることができる。
そして、例えば、第１エアコンが冷房として稼働していると仮定する場合において、空間１００におけるユーザの位置に基づいて３次元画面２００に反映されるユーザの位置が、第１エアコン画像２０１から予め定められた範囲（例えば半径３ｍ以内）である場合、風発生装置から冷風が発生するようにしてもよい。
また、例えば、第１エアコンが暖房として稼働していると仮定する場合において、空間１００におけるユーザの位置に基づいて３次元画面２００に反映されるユーザの位置が、第１エアコン画像２０１から予め定められた範囲（例えば半径３ｍ以内）である場合、風発生装置から温風が発生するようにしてもよい。
サーバ１０のうち風発生装置の出力制御を行う機能部は、出力手段として捉えられる。
【００９０】
また、出力される状況情報としては、上記した例に限定されない。
例えば、照明等の光源から発生する光に関する情報が出力されてもよい。光に関する情報としては、例えば、光の明るさに関する情報等が挙げられる。この場合に、算出部１７は、光源からの配光分布のパラメータを算出する。このパラメータの算出は、空間に配置される設備の形状、寸法、位置、および向きの情報や、空間に入り込む太陽の光に関する情報を考慮して行われる。そして、算出部１７は、算出したパラメータを用いて、光に関する情報を算出する。さらに、画像作成部１８は、算出された光に関する情報に基づいて、例えば、光の明るさに関する画像を作成する。そして、表示制御部１９は、作成された光の明るさに関する画像を、ヘッドマウントディスプレイ４０に表示させてもよい。
【００９１】
また、例えば、状況情報として空間の湿度に関する情報が出力されてもよい。例えば、設備情報設定画面１２０（図６参照）の熱発生設備設定部１２１にて、熱発生設備において単位時間あたりに発生する最大の蒸発量が入力可能に設けられてもよい。また、例えば、設備情報設定画面１２０の空調設備設定部１２２にて、空調設備による除湿能力が入力可能に設けられてもよい。除湿能力としては、例えば、１日あたりに除湿できる水量が挙げられる。そして、算出部１７は、設備情報設定画面１２０にて入力された蒸発量の情報や除湿能力の情報に基づいて、空間における湿度分布のパラメータを算出する。このパラメータの算出は、空間に配置される設備の形状、寸法、位置、向きに関する情報等を考慮して行われる。そして、算出部１７は、算出したパラメータを用いて、空間の湿度に関する情報を算出する。さらに、画像作成部１８は、算出された空間の湿度に関する情報に基づいて、例えば、空間の湿度に関する画像を作成する。空間の湿度に関する画像としては、例えば、空間の湿度の値を示す画像が挙げられる。そして、表示制御部１９は、作成された空間の湿度に関する画像を、ヘッドマウントディスプレイ４０に表示させてもよい。また、蒸気を発生させる蒸気発生装置を空間１００に配置し、サーバ１０は、算出部１７により算出された空間の湿度に関する情報に応じて、蒸気発生装置から蒸気を発生させるように制御してもよい。
【００９２】
また、本発明の実施形態を実現するプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて提供することも可能である。
【００９３】
以上、本発明の実施形態について説明したが、本発明の技術的範囲は上記の実施形態に記載の範囲には限定されない。上記の実施形態に、種々の変更又は改良を加えたものも、本発明の技術的範囲に含まれることは、特許請求の範囲の記載から明らかである。
【符号の説明】
【００９４】
１…設備環境出力システム、１０…サーバ、１１…送受信部、１２…記憶部、１３…空間情報管理部、１４…設備情報管理部、１５…ユーザ位置情報管理部、１６…把持部材位置情報管理部、１７…算出部、１８…画像作成部、１９…表示制御部、２０…音制御部、２１…熱制御部、２２…匂い制御部、３０…端末、４０…ヘッドマウントディスプレイ、５０…把持部材、６０…ユーザ位置検知センサ、７０…熱発生装置、８０…匂い発生装置
【図１】
2020112975.tif 000003
【図２】
2020112975.tif 000004
【図３】
2020112975.tif 000005
【図４】
2020112975.tif 000006
【図５】
2020112975.tif 000007
【図６】
2020112975.tif 000008
【図７】
2020112975.tif 000009
【図８】
2020112975.tif 000010
【図９】
2020112975.tif 000011
【図１０】
2020112975.tif 000012
【図１１】
2020112975.tif 000013
【図１２】
2020112975.tif 000014
【図１３】
2020112975.tif 000015
【図１４】
2020112975.tif 000016
【図１５】
2020112975.tif 000017